(57)【要約】      （修正有）【課題】小柄が隠れることなくスマートフォンと組み合わせて取り扱えるようにし、小柄を手軽に観賞できる小柄鑑賞携帯具を提供する。【解決手段】小柄支持体３の片面に小柄２の配置用凹部４を設け、小柄支持体３のもう一方の片面に小柄支持体３の周辺に沿う位置にしてスマートフォン装着用の支持枠１４を設け、配置用凹部４の長手方向での一端側となる小柄支持体３の一辺５に、配置用凹部４に連通する留め具装着孔１１を開口して、留め具装着孔１１には、配置用凹部４に小柄２を配置したときの小柄２の小口６に進入する剣先形状の爪体１３を有する留め具１２を抜き差し可能に装着し、配置用凹部４に配置した小柄２の小口６に、留め具装着孔１１に装着した留め具１２の爪体１３が進入して、小柄２が小柄支持体３に取り付けられる構成にした。【選択図】図１
0003221447.tif 000002
【実用新案登録請求の範囲】
【請求項１】
板状の小柄支持体の片面に小柄の配置用凹部が設けられ、かつ前記小柄支持体のもう一方の片面にこの小柄支持体の周辺に沿う位置にしてスマートフォン装着用の支持枠が設けられていて、
前記配置用凹部の長手方向での一端側となる前記小柄支持体の一辺に、配置用凹部に連通する留め具装着孔を開口して、
前記留め具装着孔には、前記配置用凹部に小柄を配置したときの小柄の小口に進入する剣先形状の爪体を有する留め具が抜き差し可能に装着され、
配置用凹部に配置した小柄の小口に、前記留め具装着孔に装着した留め具の爪体が進入して、小柄が小柄支持体に取り付けられる構成を有することを特徴とする小柄鑑賞携帯具。
【請求項２】
上記支持枠に装着するスマートフォンの上端側となる小柄支持体の一辺に、上記留め具装着孔が配置されている請求項１に記載の小柄鑑賞携帯具。
【考案の詳細な説明】
【技術分野】
【０００１】
本考案は、日本刀に付属する小刀の小柄（こづか）を取り付けて携帯することができるようにした小柄鑑賞携帯具に関するものである。
【背景技術】
【０００２】
日本刀の鞘に添えられる小刀の柄である小柄は、小刀側に合わせて棟方（みねかた）と刃方（はかた）とを有するように横断面が扁平な形状とされた筒体であり、一枚の金属板を折ったものとしたり二枚の金属板を貼り合わされていて、一方の片面側に具象的な紋や幾何学的文様の紋が設けられているものである。そして片面に施された前記紋や地の細工に装飾的効果が高いことから、小柄自体が骨董品や美術品として愛好されている。
【０００３】
小柄が骨董品や美術品として愛好される品であるため、小柄を収納するための専用を箱が用いられている。その専用の箱は、主に桐材を用いた箱に、凹部を上面に有した化粧台を配置して、その化粧台の凹部に小柄を嵌め入れることができるようにしたものであり、化粧台の上に布団を載せてから、同様に桐材の蓋を被せることで、小柄が箱に収納できる。そして、蓋を取り外しておくことで小柄を常時鑑賞できる状態にすることができる。
【０００４】
一方、小柄自体は、元々が帯刀する際に日本刀に付属させるオシャレ用具の意味合いがあることから、小柄を愛好する人たちには小柄をオシャレ品として携帯できるようにしたいとの要望がある。
【０００５】
この点、現代においてはスマートフォンが広く普及しており、このスマートフォンにケースを取り付けて携帯することが多くなっている。そして、このスマートフォン用のケースとしては、特許文献１に示されているように小物を収納できるファスナー付きの収納部を貼り付けたケースが提案されている。
【０００６】
このように現在においてケースにセットした状態でスマートフォンを携帯することが多くなってきていることから、上述した特許文献１に示されているような収納部付きのケースにスマートフォンをセットするとともに、収納部を利用することで小柄を携帯できると考えられる。
【先行技術文献】
【特許文献】
【０００７】
【特許文献１】実用新案登録第３２０１３３１号公報
【考案の概要】
【考案が解決しようとする課題】
【０００８】
しかしながら、特許文献１に示されているケースの収納部に小柄を入れてしまうと、その収納部から取り出さなければ小柄を観賞することができない。また、上述したように小柄が他のものに取り付けられた状態でオシャレ品としての機能を発揮する一面があることから、ケースの収納部に入れたままでは装飾効果を得ることができないという不具合がある。
【０００９】
そこで本考案は上記事情に鑑み、小柄が隠れることなくスマートフォンと組み合わせて取り扱えるようにすることを課題とし、小柄を手軽に観賞できるようにすることを目的とするものである。
【課題を解決するための手段】
【００１０】
（請求項１の考案）
本考案は上記課題を考慮してなされたもので、板状の小柄支持体の片面に小柄の配置用凹部が設けられ、かつ前記小柄支持体のもう一方の片面にこの小柄支持体の周辺に沿う位置にしてスマートフォン装着用の支持枠が設けられていて、
前記配置用凹部の長手方向での一端側となる前記小柄支持体の一辺に、配置用凹部に連通する留め具装着孔を開口して、
前記留め具装着孔には、前記配置用凹部に小柄を配置したときの小柄の小口に進入する剣先形状の爪体を有する留め具が抜き差し可能に装着され、
配置用凹部に配置した小柄の小口に、前記留め具装着孔に装着した留め具の爪体が進入して、小柄が小柄支持体に取り付けられる構成を有することを特徴とするスマートフォンケース型小柄鑑賞携帯具を提供して、上記課題を解消するものである。
【００１１】
（請求項２の考案）
そして本考案において、上記支持枠に装着するスマートフォンの上端側となる小柄支持体の一辺に、上記留め具装着孔が配置されているものとすることが良好である。
【考案の効果】
【００１２】
（請求項１の考案の効果）
請求項１の考案によれば、小柄支持体の配置用凹部に配置した小柄の小口を利用して、小柄支持体の一辺側から装着した留め具の爪体を差し入れるようにすることで、小柄を小柄支持体に簡単に取り付けることができ、小柄が常時見える状態で小柄支持体に配置されるため、携帯しながら鑑賞する上で使い易い鑑賞用具となる。そして、留め具を留め具装着孔から引き抜くことで小柄を小柄支持体から外すことができ、小柄を着脱する操作が頗る簡単になる。
【００１３】
（請求項２の考案の効果）
小柄支持体の支持枠にスマートフォンを装着し、そのスマートフォンのフロントパネル液晶の部分で表示されているアプリケーションアイコンなどに触って操作する場合には、スマートフォンの上下の方向を縦にして手持ちされる場合が多いものである。
【００１４】
そして、請求項２の考案によれば、支持枠に装着するスマートフォンの上端側となる小柄支持体の一辺に留め具装着孔が配置されて、その留め具装着孔に留め具が装着されるため、小柄を配置用凹部に配置するとともに、支持枠にスマートフォンを取り付けて、そのスマートフォンを操作する場合でも、留め具装着孔から留め具が誤って抜け出ることを防止でき、小柄を適切に小柄支持体に取り付けておくことができるという効果を奏する。
【図面の簡単な説明】
【００１５】
【図１】本考案の小柄鑑賞携帯具の一例を小柄を取り付けた状態で示す説明図である。
【図２】一例を小柄と留め具とを分離した状態で示す説明図である。
【図３】小柄支持体の長手方向に直交する断面位置で使用状態の例を示す説明図である。
【考案を実施するための形態】
【００１６】
つぎに本考案を図１から図３に示す実施の形態に基づいて詳細に説明する。図中１は、上述したように日本刀の鞘に添えられる小刀の柄である小柄２を取り付けることができるようにした小柄鑑賞携帯具である。この小柄鑑賞携帯具１は、図１に示すように板状とされて平面視の形状を略長方形とした小柄支持体３の上面に、小柄２を置くための配置用凹部４が設けられている。
【００１７】
（配置用凹部）
上記配置用凹部４は、小柄２を置くことができるように小柄２の形状に応じた長方形の凹所にして、その長手方向を小柄支持体３の長手方向に揃えている。また、本実施の例においては、配置用凹部４の長手方向での一端５を、小柄２を置くときの小口（こぐち）６が対応位置する部分としているとともに、配置用凹部４の長手方向での他端７を、小柄２の戸尻（こじり）８を対応位置させる部分としている。
【００１８】
なお、小柄２の小口６は、小刀の茎（なかご）を抜いて生じた開口が開いている端部である（戸口と記載されることもある）。また、戸尻８は小柄２を作製する金属板の端縁にて閉じられている箇所である。
【００１９】
（留め具装着孔）
本実施の例の小柄鑑賞携帯具１は後述するように上下の向きが定められていて、長手方向で対向する対の短辺の一方である小柄支持体３の一辺を小柄支持体３の天側としてこの辺を上辺９とし、もう一方の短辺である一辺を地側として下辺１０としている。
【００２０】
そして、上記配置用凹部４の一端５側が前記小柄支持体３の上辺９に対応していて、この上辺９に、留め具装着孔１１が開口されている。
【００２１】
留め具装着孔１１は、図２に示すように小柄支持体３の上辺９側となる配置用凹部４の一端５まで達しており、留め具装着孔１１が配置用凹部４に連通している。さらに、留め具装着孔１１が配置用凹部４に達している前記一端５の部分では、この配置用凹部４に小柄２を置いたときに、小柄２の小口６の位置と留め具装着孔１１の連通部分との位置が対応するように設けられている。よって、配置用凹部４に小柄２を置いたときには、留め具装着孔１１の部分が小口６を通して小柄２の内部に通ずる位置となるようにしている。
【００２２】
（留め具）
上記留め具装着孔１１には、留め具１２が小柄支持体３の外方から抜き差し可能にして装着される。留め具１２は、図１に示されているように留め具装着孔１１に装着したときに配置用凹部４の内側まで突き出る長さを有するもので、配置用凹部４に小柄２を配置したときのその小柄２の小口６に進入する剣先形状の爪体１３を備えている。
【００２３】
このように留め具１２は小柄２の小口６に進入する爪体１３を備えていることから、小口６が配置用凹部４の一端５に対応するようにして小柄２を配置用凹部４に置いた後、留め具１２を留め具装着孔１１に装着して爪体１３を小口６に進入させることにより、小柄２が配置用凹部４から外れることのないように取り付けられるようにしている。図３参照
【００２４】
勿論、留め具１２を留め具装着孔１１から引き抜くことで爪体１３が小口６から外れるので、小柄２を配置用凹部４から取り外すことが簡単に行なえる。
【００２５】
（支持枠）
小柄支持体３の下面側には、小柄支持体３の周辺に沿う位置にしてスマートフォン装着用の支持枠１４が設けられている。この支持枠１４は、小柄支持体３の下面に背面を接しさせるようにして重ねたスマートフォン１５の辺部に係脱可能に係止して、スマートフォン１５を支持するものである。
【００２６】
そして、支持枠１４にあっては、スマートフォン１５の辺部端面に配置されるスイッチやソケットに対応した切り欠きや開口などの操作部位対応部１６が設けられており、スイッチやソケットを前記操作部位対応部１６に対応させながらスマートフォン１５を支持枠１４の内側に嵌め付けるようにして小柄支持体３に重ね合わせれば、支持枠１４の前記操作部位対応部１６の部分を通してスマートフォン１５のスイッチ操作やジャック抜き差しなどの操作が行なえるようにしている。
【００２７】
上述したように支持枠１４はスマートフォン１５のスイッチ操作などが行なえるように操作部位対応部１６が設けられており、スマートフォン１５の上下方向の向きと支持枠１４での上下方向の向きとが揃えられている。即ち、スマートフォン１５の上端側となる部分が、支持枠１４での下端側となる部分に位置するように取り付けてしまうと、スマートフォン１５のスイッチやソケットの位置が支持枠１４側の操作部位対応部１６に対応せず、スマートフォン１５でのスイッチ操作などができなくなるためである。
【００２８】
さらに上記支持枠１４の上下方向の向きにおいて支持枠１４での上端が、小柄支持体３での上辺９側となるようにしており、小柄支持体３を上辺９が上方になるようにすれば、支持枠１４の上端も上方に位置するものとしている。そして、小柄支持体３の上辺９側に上記留め具装着孔１１が配置されていることから、この小柄鑑賞携帯具１にあっては、支持枠１４に装着するスマートフォン１５の上端側となる小柄支持体３の上辺９に、留め具装着孔１１が配置されている。
【００２９】
このようにスマートフォン１５の上端側となる小柄支持体３の上辺９に留め具装着孔１１が配置されて、その留め具装着孔１１に留め具１２が上方から差し込むようにして装着されるため、小柄２を配置用凹部４に配置し、上記支持枠１４にスマートフォン１５を取り付けて支持させ、スマートフォン１５を操作する場合は、そのスマートフォン１５の上端が上方に位置しているので、留め具装着孔１１から留め具１２が誤って抜け出ることを防止でき、小柄２を確実に小柄支持体３の配置用凹部４に取り付けておくことができる。
【００３０】
勿論、この小柄鑑賞携帯具１の上下が逆さまとなるようにしただけで留め具１２が留め具装着孔１１から抜け落ちるわけでななく、留め具装着孔１１の内側と留め具１２との間での摩擦力で抜け落ちを防止するように設けられている。また、留め具１２の抜き差し操作を可能にする状態にしながらも留め具装着孔１１の内側から留め具１２の不用意な移動を抑える押圧力を小スプリングにて付与するなどの公知の機構を組み入れることができるものである。
【符号の説明】
【００３１】
１…小柄鑑賞携帯具
２…小柄
３…小柄支持体
４…配置用凹部
５…配置用凹部の長手方向での一端
６…小柄の小口
７…配置用凹部の長手方向での他端
８…小柄の戸尻
９…小柄支持体の上辺
１０…小柄支持体の下辺
１１…留め具装着孔
１２…留め具
１３…爪体
１４…スマートフォン装着用の支持枠
１５…スマートフォン
１６…操作部位対応部
【図１】
0003221447.tif 000003
【図２】
0003221447.tif 000004
【図３】
0003221447.tif 000005